(57)【要約】【課題】画像信号を分配するための複数のスイッチのオンオフの回数を減らす。【解決手段】複数のデータ線１４のうちデータ電位が最初に供給されるデータ線１４に対応するスイッチ５１が、初期化期間ＰINの始点から書込期間ＰWRTにおいて当該スイッチ５１がオフ状態に遷移する時点までの期間にわたってオン状態に設定される。また、複数のデータ線１４のうちデータ電位が最後に供給されるデータ線１４に対応するスイッチ５１は、書込期間ＰWRTにおいて当該スイッチ５１がオン状態に遷移した時点から、次の初期化期間ＰINが終了するまでの期間にわたってオン状態に維持される。【選択図】      図３
2011022373.tif 000002
【特許請求の範囲】
【請求項１】
複数の走査線と複数のデータ線との各交差に対応して配置される複数の画素回路と、
前記各データ線と画像信号線との間に各々が配置される複数のスイッチと、を具備する電気光学装置の駆動方法であって、
前記複数の走査線の各々を走査期間ごとに順番に選択し、
初期化期間においては、前記画像信号線に基準電位を出力するとともに、前記複数のスイッチをオン状態にし、
前記走査期間内の期間であって、前記初期化期間の後の書込期間においては、前記画像信号線に対して、前記各データ線と、選択した前記走査線との各交差に対応する画素回路の指定階調に応じたデータ電位を時分割で出力するとともに、前記各スイッチを順番にオン状態にし、
前記複数のデータ線のうち前記書込期間において前記データ電位が最初に供給されるデータ線に対応するスイッチについては、前記初期化期間の開始から前記書込期間において当該スイッチがオフ状態に遷移するまでの期間にわたってオン状態に設定する
電気光学装置の駆動方法。
【請求項２】
前記複数のデータ線のうち前記書込期間において前記データ電位が最後に供給されるデータ線に対応するスイッチについては、前記書込期間において当該スイッチがオン状態に遷移した時点から、次の前記初期化期間が終了するまでの期間にわたってオン状態に維持する
請求項１の電気光学装置の駆動方法。
【請求項３】
複数の走査線と複数のデータ線との各交差に対応して配置される複数の画素回路と、
前記各データ線と画像信号線との間に各々が配置される複数のスイッチと、を具備する電気光学装置の駆動方法であって、
前記複数の走査線の各々を走査期間ごとに順番に選択し、
初期化期間においては、前記画像信号線に基準電位を出力するとともに、前記複数のスイッチを全てオン状態にし、
前記走査期間内の期間であって、前記初期化期間の後の書込期間においては、前記画像信号線に対して、前記各データ線と、選択した前記走査線との各交差に対応する画素回路の指定階調に応じたデータ電位を時分割で出力するとともに、前記各スイッチを順番にオン状態にし、
前記複数のデータ線のうち前記書込期間において前記データ電位が最後に供給されるデータ線に対応するスイッチについては、前記書込期間において当該スイッチがオン状態に遷移した時点から、次の前記初期化期間が終了するまでの期間にわたってオン状態に維持する
電気光学装置の駆動方法。
【請求項４】
前記画素回路は、駆動電流に応じて発光する発光素子と、前記駆動電流を生成する駆動トランジスタと、を含み、
前記初期化期間において、前記駆動トランジスタのゲートの電位を前記基準電位に応じた値に設定し、
前記初期化期間の後であって、前記書込期間よりも前の補償期間において、前記駆動トランジスタのゲートの電位を前記基準電位に応じた値に維持したうえで、前記駆動トランジスタのゲート・ソース間の電圧を閾値電圧に漸近させ、
前記書込期間において、前記駆動トランジスタのゲートの電位を前記データ電位に応じた値に設定する
請求項１から請求項３の何れかの電気光学装置の駆動方法。
【請求項５】
前記初期化期間において、前記駆動トランジスタのゲート・ソース間の電圧は前記閾値電圧を上回るような値に設定され、
前記補償期間において、前記駆動トランジスタをダイオード接続し、
前記書込期間において、前記駆動トランジスタのダイオード接続を解除し、
前記書込期間の後の発光期間において、前記データ電位に応じた駆動電流が前記発光素子に流れるようにする
請求項４の電気光学装置の駆動方法。
【請求項６】
複数の走査線と複数のデータ線との各交差に対応して配置される複数の画素回路と、
前記各データ線と画像信号線との間に各々が配置される複数のスイッチと、
前記複数の走査線の各々を走査期間ごとに順番に選択する走査線駆動回路と、
初期化期間においては前記画像信号線に基準電位を出力し、前記走査期間内の期間であって、前記初期化期間の後の書込期間においては、前記画像信号線に対して、前記各データ線と、選択された前記走査線との各交差に対応する画素回路の指定階調に応じたデータ電位を時分割で出力する信号出力回路と、を具備し、
前記初期化期間においては、前記各スイッチはオン状態に設定され、
前記書込期間においては、前記各スイッチは順番にオン状態に設定され、
前記複数のデータ線のうち前記書込期間において前記データ電位が最初に供給されるデータ線に対応するスイッチは、前記初期化期間の開始から前記書込期間において当該スイッチがオフ状態に遷移するまでの期間にわたってオン状態に設定される
電気光学装置。
【請求項７】
複数の走査線と複数のデータ線との各交差に対応して配置される複数の画素回路と、
前記各データ線と画像信号線との間に各々が配置される複数のスイッチと、
前記複数の走査線の各々を走査期間ごとに順番に選択する走査線駆動回路と、
初期化期間においては前記画像信号線に基準電位を出力し、前記走査期間内の期間であって、前記初期化期間の後の書込期間においては、前記画像信号線に対して、前記各データ線と、選択された前記走査線との各交差に対応する画素回路の指定階調に応じたデータ電位を時分割で出力する信号出力回路と、を具備し、
前記初期化期間においては、前記各スイッチはオン状態に設定され、
前記前記書込期間においては、前記各スイッチは順番にオン状態に設定され、
前記複数のデータ線のうち前記書込期間において前記データ電位が最後に供給されるデータ線に対応するスイッチは、前記書込期間において当該スイッチがオン状態に遷移する時点から、次の前記初期化期間が終了するまでの期間にわたってオン状態に維持される
電気光学装置。
【請求項８】
請求項６または請求項７に記載の電気光学装置を具備する電子機器。
【発明の詳細な説明】
【技術分野】
【０００１】
本発明は、電気光学装置の駆動方法、電気光学装置および電子機器に関する。
【背景技術】
【０００２】
図１２は、特許文献１に係る電気光学装置２００の概略構成を示す図である。図１２に示すように、電気光学装置２００は、複数の画素回路２と、走査線駆動回路３と、データ線駆動回路４とを具備する。複数の画素回路２は、複数の走査線１０２と、３本毎に複数（Ｎ個）のブロックＢに区分された複数（３Ｎ本）のデータ線１０４との各交差に対応して配置される。画素回路２は液晶素子を含んで構成される。
【０００３】
データ線駆動回路４は、各ブロックＢに対応するＮ個の導通部（デマルチプレクサ）５０と、各ブロックＢに対応する複数の画像信号線１０６とを含む。第ｋ段目（１≦ｋ≦Ｎ）の導通部５０における３個のスイッチ５１の各々は、第ｋ段目の画像信号線１０６とデータ線１０４との間に介在して両者の電気的な接続を制御する。各ブロックＢの第ｆ番目（ｆ＝１〜３）のスイッチ５１はサンプリング信号Ｓｆで制御される。
【０００４】
図１３に示すように、走査線１０２が選択される走査期間Ｈ内の初期化期間ＰINにおいて、サンプリング信号Ｓ１ないしＳ３は一斉にアクティブレベルに設定されるとともに、各画像信号線１０６には初期電位Ｖｐが一斉に供給される。これにより、各データ線１０４の電位が初期化される。初期化期間ＰINの終点においてサンプリング信号Ｓ１ないしＳ３は一斉に非アクティブレベルに設定される。そして、初期化期間ＰINIの後の書込期間ＰWRTにおいて、３系統のサンプリング信号（Ｓ１，Ｓ２，Ｓ３）が順番にアクティブレベルに遷移するとともに、各画像信号線１０６には階調信号ｄが供給される。各画像信号線１０６に供給される階調信号ｄは、当該画像信号線１０６に対応するブロックに属する３本のデータ線１０４と、走査線駆動回路３によって選択される走査線１０２との各交差に対応する画素回路２の指定階調に応じたデータ電位（ＶＲ,ＶＧ,ＶＢ）に時分割で設定される電圧信号である。
【先行技術文献】
【特許文献】
【０００５】
【特許文献１】特開２００６−１２６２３２号公報
【発明の概要】
【発明が解決しようとする課題】
【０００６】
しかしながら、上述の特許文献１に開示された技術では、走査期間Ｈ内において、導通部（デマルチプレクサ）５０の各スイッチ５１について２回ずつスイッチング動作を行う必要がある。本明細書において、「スイッチング動作」とは、スイッチをオフ状態からオン状態に遷移させた後、再びオフ状態に遷移させる一連の動作を意味する。スイッチング動作の回数が多いほど（つまりスイッチのオンオフが変化する回数が多いほど）、サンプリング信号Ｓｆのレベルが変化する回数は多いから、当該サンプリング信号Ｓｆが供給される配線に付随する容量の充放電回数も多い。このため、特許文献１に開示された技術では、電気光学装置の消費電力量が大きいという問題があった。本発明は、このような事情に鑑みてなされたものであり、画像信号を分配するための複数のスイッチのオンオフの回数を減らすことを目的としている。
【課題を解決するための手段】
【０００７】
以上の課題を解決するために、本発明に係る電気光学装置の駆動方法は、複数の走査線と複数のデータ線との各交差に対応して配置される複数の画素回路と、各データ線と画像信号線との間に各々が配置される複数のスイッチと、を具備する電気光学装置の駆動方法であって、複数の走査線の各々を走査期間ごとに順番に選択し、初期化期間（例えば図２に示されるような走査期間Ｈ内に設けられる初期化期間ＰINだけでなく、図６に示されるような走査期間Ｈの前に設けられる初期化期間ＰINも含む）においては、画像信号線に基準電位を出力するとともに、複数のスイッチを全てオン状態にし、走査期間内の期間であって、初期化期間の後の書込期間においては、画像信号線に対して、各データ線と、選択した走査線との各交差に対応する画素回路の指定階調に応じたデータ電位を時分割で出力するとともに、各スイッチを順番にオン状態にし、複数のデータ線のうち書込期間においてデータ電位が最初に供給されるデータ線に対応するスイッチについては、初期化期間の開始から書込期間において当該スイッチがオフ状態に遷移するまでの期間にわたってオン状態に設定する。
【０００８】
本発明によれば、複数のデータ線のうちデータ電位が最初に供給されるデータ線に対応するスイッチのオンオフの回数は、図１２および図１３の態様に比べて低減されるから、電気光学装置の消費電力量を低減できるという利点がある。
【０００９】
本発明に係る電気光学装置の駆動方法の態様として、複数のデータ線のうち書込期間においてデータ電位が最後に供給されるデータ線に対応するスイッチについては、書込期間において当該スイッチがオン状態に遷移した時点から、次の初期化期間が終了するまでの期間にわたってオン状態に維持する。この態様においても、複数のデータ線のうちデータ電位が最後に供給されるデータ線に対応するスイッチのオンオフの回数は、図１２および図１３の態様に比べて低減される。
【００１０】
本発明に係る電気光学装置の駆動方法の態様として、画素回路は、駆動電流に応じて発光する発光素子と、駆動電流を生成する駆動トランジスタと、を含み、初期化期間において、駆動トランジスタのゲートの電位を基準電位に応じた値に設定し、初期化期間の後であって、書込期間よりも前の補償期間において、駆動トランジスタのゲートの電位を基準電位に応じた値に維持したうえで、駆動トランジスタのゲート・ソース間の電圧を閾値電圧に漸近させ、書込期間において、駆動トランジスタのゲートの電位をデータ電位に応じた値に設定する。より具体的には、初期化期間において、駆動トランジスタのゲート・ソース間の電圧は閾値電圧を上回るような値に設定され、補償期間において、駆動トランジスタをダイオード接続し、書込期間において、駆動トランジスタのダイオード接続を解除し、書込期間の後の発光期間において、データ電位に応じた駆動電流が発光素子に流れるようにする。
【００１１】
本発明は、電気光学装置の発明として捉えることもできる。本発明に係る電気光学装置は、複数の走査線と複数のデータ線との各交差に対応して配置される複数の画素回路と、各データ線と画像信号線との間に各々が配置される複数のスイッチと、複数の走査線の各々を走査期間ごとに順番に選択する走査線駆動回路と、初期化期間においては画像信号線に基準電位を出力し、走査期間内の期間であって、初期化期間の後の書込期間においては、画像信号線に対して、各データ線と、選択された走査線との各交差に対応する画素回路の指定階調に応じたデータ電位を時分割で出力する信号出力回路と、を具備し、初期化期間においては、各スイッチは全てオン状態に設定され、書込期間においては、各スイッチは順番にオン状態に設定され、複数のデータ線のうち書込期間においてデータ電位が最初に供給されるデータ線に対応するスイッチは、初期化期間の開始から書込期間において当該スイッチがオフ状態に遷移するまでの期間にわたってオン状態に設定される。以上の電気光学装置によっても本発明に係る電気光学装置の駆動方法と同様の効果が得られる。
【００１２】
また、本発明に係る電気光学装置の態様として、複数のデータ線のうち書込期間においてデータ電位が最後に供給されるデータ線に対応するスイッチは、書込期間において当該スイッチがオン状態に遷移する時点から、次の初期化期間が終了するまでの期間にわたってオン状態に維持される態様とすることもできる。
【００１３】
本発明に係る電気光学装置は各種の電子機器に利用される。この電子機器の典型例は、電気光学装置を表示装置として利用した機器である。この種の機器としては、パーソナルコンピュータや携帯電話機などがある。もっとも、本発明に係る電気光学装置の用途は画像の表示に限定されない。例えば、光線の照射によって感光体ドラムなどの像担持体に潜像を形成する構成の画像形成装置（印刷装置）においては、像担持体を露光する手段（いわゆる露光ヘッド）として本発明の電気光学装置を採用することもできる。
【図面の簡単な説明】
【００１４】
【図１】本発明の第１実施形態に係る電気光学装置のブロック図である。
【図２】同実施形態に係る電気光学装置の動作を示すタイミングチャートである。
【図３】同実施形態に係る電気光学装置の動作を示すタイミングチャートである。
【図４】同実施形態に係る画素回路の回路図である。
【図５】本発明の第２実施形態に係る画素回路の回路図である。
【図６】同実施形態に係る電気光学装置の動作を示すタイミングチャートである。
【図７】本発明の変形例に係る画素回路の回路図である。
【図８】本発明の変形例に係る電気光学装置の動作を示すタイミングチャートである。
【図９】本発明に係る電子機器の具体的な形態を示す斜視図である。
【図１０】本発明に係る電子機器の具体的な形態を示す斜視図である。
【図１１】本発明に係る電子機器の具体的な形態を示す斜視図である。
【図１２】従来の電気光学装置のブロック図である。
【図１３】従来の電気光学装置の動作を示すタイミングチャートである。
【発明を実施するための形態】
【００１５】
＜Ａ：第１実施形態＞
図１は、本発明の第１実施形態に係る電気光学装置１０の構成を示すブロック図である。この電気光学装置１０は、画像を表示するための手段として各種の電子機器に採用される装置であり、複数の画素回路１１が面状に配列された素子部１００と、走査線駆動回路２０と、データ線駆動回路３０と、制御回路４０とを有する。
【００１６】
図１に示すように、素子部１００には、Ｘ方向に延在するｍ本の走査線１２と、Ｘ方向に直交するＹ方向に延在する３ｎ本のデータ線１４とが設けられる（ｍおよびｎは自然数）。各画素回路１１は、走査線１２とデータ線１４との交差に対応する位置に配置される。従って、これらの画素回路１１は縦ｍ行×横３ｎ列のマトリクス状に配列する。
【００１７】
走査線駆動回路２０は、複数の画素回路１１を走査期間（１Ｈ）ごとに行単位で選択する手段である。図２および図３に示すように、走査線駆動回路２０は、順次アクティブレベル（ハイレベル）になる走査信号ＧW[１]〜ＧW[ｍ]をｍ本の走査線１２の各々に出力する。第ｉ行（１≦ｉ≦ｍ）の走査線１２に出力される走査信号ＧW[ｉ]のハイレベルへの遷移は、第ｉ行の走査線１２の選択を意味する。
【００１８】
本実施形態においては、３ｎ本のデータ線１４は、相隣接する３本（１４[１]，１４[２]，１４[３]）を単位としてｎ個のブロックＢ（Ｂ１，Ｂ２，・・・Ｂｎ）に区分される。図１に示すように、各ブロックＢに含まれる３本のデータ線１４のうち左から数えて第１列目のデータ線１４[１]に対応する各画素回路１１の表示色は「Ｒ（赤色）」である。また、左から数えて第２列目のデータ線１４[２]に対応する各画素回路１１の表示色は「Ｇ（緑色）」である。さらに、左から数えて第３列目のデータ線１４[３]に対応する各画素回路１１の表示色は「Ｂ（青色）」である。
【００１９】
制御回路４０は、電気光学装置１０の全体の動作を制御するための回路である。制御回路４０は、走査線駆動回路２０やデータ線駆動回路３０に対してクロック信号などの制御信号を出力するほか、サンプリング信号Ｓ１〜Ｓ３を生成して各々をサンプリング信号線４１ａ〜４１ｃに出力する。
【００２０】
図１に示すように、データ線駆動回路３０は、ｎ個のブロックＢと１対１に対応するｎ個の導通部（デマルチプレクサ）５０と、信号出力回路３２と、ｎ個のブロックＢと１対１に対応するｎ本の画像信号線１６とを有する。各導通部５０は、当該導通部５０に対応する画像信号線１６と、当該導通部５０に対応するブロックＢに属する３本のデータ線１４との間に各々が配置される３つのスイッチ５１を備える。各スイッチ５１のゲートは、サンプリング信号線４１に接続される。より具体的には、各ブロックＢのデータ線１４[１]に対応する各スイッチ５１のゲートはサンプリング信号線４１ａに並列に接続され、データ線１４[２]に対応する各スイッチ５１のゲートはサンプリング信号線４１ｂに並列に接続され、データ線１４[３]に対応する各スイッチ５１のゲートはサンプリング信号線４１ｃに並列に接続される。
【００２１】
サンプリング信号Ｓｆ（ｆ＝１〜３）がアクティブレベルに遷移すると、各ブロックＢのデータ線１４[ｆ]に対応するｎ個のスイッチ５１が一斉にオン状態になり、各ブロックＢのデータ線１４[ｆ]と当該ブロックＢに対応する画像信号線１６とが導通する。例えばサンプリング信号Ｓ１がアクティブレベルに遷移すると、各ブロックＢのデータ線１４[１]に対応するｎ個のスイッチ５１が一斉にオン状態になり、各ブロックＢのデータ線１４[１]と当該ブロックＢに対応する画像信号線１６とが導通する。
【００２２】
図２および図３に示すように、サンプリング信号Ｓｆは、走査期間Ｈ内の初期化期間ＰINにおいて一斉にハイレベルに設定され、走査期間Ｈ内の期間であって、初期化期間ＰINの後の書込期間ＰWRTにおいて順番にハイレベルに設定される。書込期間ＰWRTは、第１期間Ｔ１と、第１期間Ｔ２の後の第２期間Ｔ２と、第２期間Ｔ２の後の第３期間Ｔ３とを含む。初期化期間ＰINと書込期間ＰWRTとの間には補償期間ＰTHが設けられる。第ｉ番目の走査期間Ｈ[ｉ]に着目して説明すると、図２および図３に示すように、サンプリング信号Ｓ１は、初期化期間ＰINの始点から第１期間Ｔ１の終点に至るまでの期間にわたってハイレベルに設定される。図３に示すように、サンプリング信号Ｓ３は、第３期間Ｔ３の始点から、次の第ｉ＋１番目の走査期間Ｈ[ｉ＋１]内の初期化期間ＰINの終点に至るまでの期間にわたってハイレベルに設定されるという具合である。
【００２３】
図１に示す信号出力回路３２は、各ブロックＢに対応するｎ系統の階調信号ｄを生成して各画像信号線１６に出力する。第ｋ段目（１≦ｋ≦ｎ）のブロックＢｋに対応する画像信号線１６に供給される階調信号ｄ[ｋ]は、当該ブロックＢｋの３列分のデータ線１４[１]〜１４[３]と走査線駆動回路２０が選択した走査線１２との各交差に対応する３つの画素回路１１の階調を時分割で指定する電圧信号である。
【００２４】
図４は、ひとつの画素回路１１の回路図である。図４においては、第ｉ行の走査線１２[ｉ]に対応する画素回路１１のうちブロックＢｋのデータ線１４[ｆ]に接続される画素回路１１を例にして説明するが、他の画素回路１１の構成も図４に示す構成と同じである。
【００２５】
図４に示すように、素子部１００には、第１制御線１１０、第２制御線１２０および発光制御線１３０がｍ本の走査線１２の各々に対応して設けられる。各配線には走査線駆動回路２０から所定の信号が供給される。具体的には、第１制御線１１０には第１制御信号ＧIN[ｉ]が供給され、第２制御線１２０には第２制御信号ＧP[ｉ]が供給され、発光制御線１１２には発光制御信号ＧEL[ｉ]が供給される。各信号の具体的な波形やこれに応じた画素回路１１の動作については後述する。
【００２６】
図４に示すように、画素回路１１は、電気光学素子Ｅと、駆動トランジスタＴｄと、発光制御トランジスタＴｅと、トランジスタＴｒ１およびＴｒ２と、容量素子Ｃ０と、選択トランジスタＴｓとを含む。図４に示すように、電気光学素子Ｅは、高位側電位ＶＥＬが供給される給電線６０と低位側電位ＶＣＴが供給される給電線６２との間に配置される。本実施形態において、電気光学素子Ｅは、陽極と陰極との間に有機ＥＬ材料の発光層を介在させたＯＬＥＤ素子である。
【００２７】
図４に示すように、給電線６０から電気光学素子Ｅの陽極に至る電流経路上には、Ｐチャネル型の駆動トランジスタＴｄおよびＮチャネル型の発光制御トランジスタＴｅが直列的に配置される。駆動トランジスタＴｄは、ゲートの電位に応じた駆動電流Ｉｅｌを生成する手段である。駆動トランジスタＴｄのソースは給電線６０に接続され、ドレインは発光制御トランジスタＴｅのドレインに接続される。
【００２８】
発光制御トランジスタＴｅは、電気光学素子Ｅに対する駆動電流Ｉｅｌの供給の可否を決定する手段である。発光制御トランジスタＴｅのソースは電気光学素子Ｅの陽極に接続され、ゲートは発光制御線１３０に接続される。なお、発光制御トランジスタＴｅは駆動トランジスタＴｄと給電線６０との間に配置されてもよい。
【００２９】
駆動トランジスタＴｄのゲートとドレインとの間には、Ｎチャネル型のトランジスタＴｒ１が配置される。トランジスタＴｒ１のゲートは第１制御線１１０に接続される。また、駆動トランジスタＴｄのドレインと、リセット電位ＶＳＴが供給されるリセット線１４０との間にはＮチャネル型のトランジスタＴｒ２が配置される。トランジスタＴｒ２のゲートは第２制御線１２０に接続される。
【００３０】
容量素子Ｃ０は、駆動トランジスタＴｄのゲートの電位を設定および保持する手段である。図４に示すように、容量素子Ｃ０は、第１電極Ｌ１と第２電極Ｌ２とを有する。第１電極Ｌ１は、駆動トランジスタＴｄのゲートに接続される。容量素子Ｃ０の第２電極Ｌ２とデータ線１４[ｆ]との間には、第２電極Ｌ２とデータ線１４[ｆ]との導通および非導通を切り替えるＮチャネル型の選択トランジスタＴｓが配置される。選択トランジスタＴｓのゲートは走査線１２[ｉ]に接続される。
【００３１】
次に、図２を参照しながら、電気光学装置１０の駆動に利用される各信号の具体的な波形を説明する。図２に示す初期化期間ＰINは、選択された走査線１２に対応する画素回路１１の駆動トランジスタＴｄのゲートの電位を初期化するための期間である。補償期間ＰTHは、駆動トランジスタＴｄのゲート・ソース間の電圧を当該駆動トランジスタＴｄの閾値電圧ＶTHに漸近させるための期間である。書込期間ＰWRTは、画素回路１１に対して階調信号ｄを書き込むための期間である。
【００３２】
前述したように、走査信号ＧW[１]ないしＧW[ｍ]は、走査期間Ｈごとに順番にハイレベルに設定される。走査信号Ｇｗ[ｉ]は、各垂直走査期間Ｖ内の第ｉ番目の走査期間Ｈ[ｉ]においてハイレベルに設定され、その他の期間においてはローレベルに設定される。
【００３３】
図２に示すように、第１制御信号ＧIN[ｉ]は、走査期間Ｈ[ｉ]内の初期化期間ＰINおよび補償期間ＰTHにおいてアクティブレベル（ハイレベル）に設定され、その他の期間において非アクティブレベル（ローレベル）に設定される信号である。第２制御信号ＧP[ｉ]は、走査期間Ｈ[ｉ]内の初期化期間ＰINにおいてアクティブレベル（ハイレベル）に設定され、その他の期間において非アクティブレベル（ローレベル）に設定される信号である。発光制御信号ＧEL[i]は、書込期間ＰWRTの経過後から、再び走査信号ＧW[ｉ]がハイレベルに遷移する初期化期間ＰINの開始前までの期間（以下「発光期間」という）ＰELにおいてハイレベルに設定され、それ以外の期間においてはローレベルに設定される信号である。
【００３４】
続いて、図２を参照しながら、電気光学装置１０の具体的な動作（駆動方法）について説明する。以下では、第ｉ行に属する画素回路１１の動作を、初期化期間ＰINと補償期間ＰTHと書込期間PWRTと発光期間ＰELとに区分して説明する。
【００３５】
（ａ）初期化期間ＰIN
図２に示すように、初期化期間ＰINにおいて、走査信号ＧW[ｉ]、第１制御信号ＧIN[ｉ]および第２制御信号ＧP[ｉ]はハイレベルに設定される一方、発光制御信号ＧEL[ｉ]はローレベルに設定される。従って、図４に示す選択トランジスタＴｓ、トランジスタＴｒ１およびトランジスタＴｒ２はオン状態になる一方、発光制御トランジスタＴｅはオフ状態になる。
【００３６】
図２に示すように、初期化期間ＰINIにおいて、サンプリング信号Ｓ１ないしＳ３の全てがアクティブレベル（ハイレベル）に設定される。従って、各導通部５０の３つのスイッチ５１は全てオン状態に設定される。初期化期間ＰINにおいて、信号出力回路３２から各画像信号線１６へ出力される階調信号ｄは全て基準電位Ｖｐに設定される。従って、全てのデータ線１４に対して基準電位Ｖｐが一斉に供給される。初期化期間ＰINIにおいては、画素回路１１の容量素子Ｃ０の第２電極Ｌ２とデータ線１４とが選択トランジスタＴｓを介して導通するから、容量素子Ｃ０の第２電極Ｌ２の電位は基準電位Ｖｐに設定される。また、画素回路１１の駆動トランジスタＴｄのゲートは、トランジスタＴｒ１およびＴｒ２を介してリセット線１４０に導通する。これにより、駆動トランジスタＴｄのゲートの電位は、リセット電位ＶＳＴに設定（リセット）される。また、駆動トランジスタＴｄのゲートとドレインはトランジスタＴｒ１を介して導通するから、駆動トランジスタＴｄのドレインの電位もリセット電位ＶＳＴに設定される。本実施形態において、リセット電位ＶＳＴは、当該リセット電位ＶＳＴと高位側電位ＶＥＬとの差分が駆動トランジスタＴｄの閾値電圧ＶTHを充分に上回るような値に設定される。したがって、初期化期間ＰINにおいて駆動トランジスタＴｄはオン状態に設定される。
【００３７】
（ｂ）補償期間ＰTH
図２に示すように、補償期間ＰTHにおいて、第２制御信号ＧP[ｉ]はローレベルに設定される。したがって、図４に示すトランジスタＴｒ２はオフ状態に遷移する。他の信号は初期化期間ＰINと同じレベルに維持される。
【００３８】
図２に示すように、補償期間ＰTHにおいて、サンプリング信号Ｓ１はハイレベルに維持される一方、サンプリング信号Ｓ２およびＳ３はローレベルに設定される。従って、各導通部５０の第１段目のスイッチ５１はオン状態に維持される一方、第２段目および第３段目のスイッチ５１はオフ状態に遷移する。補償期間ＰTHにおいて、信号出力回路３２から各画像信号線１６へ出力される階調信号ｄは基準電位Ｖｐに維持される。従って、各ブロックＢのデータ線１４[１]には基準電位Ｖｐが供給され続け、データ線１４[１]に対応する画素回路１１の第２電極Ｌ２の電位は基準電位Ｖｐに維持される。一方、各ブロックＢのデータ線１４[２]および１４[３]と、当該ブロックＢに対応する画像信号線１６とは非導通となるが、これらのデータ線１４の電位は、当該データ線１４に付随する容量によって、前述の初期化期間ＰINにて設定された基準電位Ｖｐに保持される。したがって、データ線１４[２]および１４[３]の各々に対応する画素回路１１の第２電極Ｌ２の電位も基準電位Ｖｐに維持される。
【００３９】
補償期間ＰTHにおいては、駆動トランジスタＴｄのゲート・ソース間の電圧は、当該駆動トランジスタＴｄの閾値電圧ＶTHに漸近する。補償期間ＰTHの終点において、駆動トランジスタＴｄのゲート・ソース間の電圧は閾値電圧ＶTHにほぼ等しくなり、駆動トランジスタＴｄのゲートの電位はＶＥＬ−ＶTHに設定される。
【００４０】
（ｃ）書込期間ＰWRT
図２に示すように、書込期間ＰWRTにおいて、第１制御信号ＧIN[ｉ]はローレベルに設定される。したがって、図４に示すトランジスタＴｒ１はオフ状態に遷移して駆動トランジスタＴｄのダイオード接続は解除される。他の信号は初期化期間ＰINと同じレベルに維持される。
【００４１】
図２に示すように、第１期間Ｔ１においては、サンプリング信号Ｓ１がハイレベルに維持される一方、サンプリング信号Ｓ２およびＳ３はローレベルに維持される。第１期間Ｔ１において、信号出力回路３２から各画像信号線１６へ供給される階調信号ｄは、各ブロックＢのデータ線１４[１]と、第ｉ行の走査線１２（走査線駆動回路２０によって選択された走査線１２）との交差に対応する画素回路１１の指定階調に応じたデータ電位ＶＲ[ｉ]に設定され、当該データ電位ＶＲ[ｉ]が各データ線１４[１]へ出力される。
【００４２】
第１期間Ｔ１において、データ線１４[１]と第２電極Ｌ２とは選択トランジスタＴｓを介して導通するから、第２電極Ｌ２の電位は、直前の基準電位Ｖｐからデータ電位ＶＲ[ｉ]に変化する。書込期間ＰWRTにおいては、トランジスタＴr１はオフ状態であり、また、駆動トランジスタＴｄのゲートのインピーダンスは充分に高い。したがって、第２電極Ｌ２が基準電位Ｖｐからデータ電位ＶＲ[ｉ]へ変化すると、第１電極Ｌ１の電位は容量カップリングによってその直前の電位（ＶＥＬ−ＶTH）から変化する。このときの第１電極Ｌ１の電位の変動量は、容量素子Ｃ０とその他の寄生容量（例えば駆動トランジスタＴｄのゲート容量やその他の配線に寄生する容量）との容量比に応じて定まる。すなわち、駆動トランジスタＴｄのゲートの電位は、データ線１４[１]に供給されるデータ電位ＶＲ[ｉ]に応じた電位に設定され、当該電位が容量素子Ｃ０によって保持される。
【００４３】
同様に、第２期間Ｔ２においては、図２に示すように、サンプリング信号Ｓ１がローレベルに設定される一方、サンプリング信号Ｓ２はハイレベルに設定される。また、サンプリング信号Ｓ３はローレベルに維持される。階調信号ｄは、各ブロックＢのデータ線１４[２]と、第ｉ行の走査線１２との交差に対応する画素回路１１の指定階調に応じたデータ電位ＶＧ[ｉ]に設定され、当該データ電位ＶＧ[ｉ]が各データ線１４[２]へ出力される。また、第３期間Ｔ３においては、図２に示すように、サンプリング信号Ｓ２がローレベルに設定される一方、サンプリング信号Ｓ３はハイレベルに設定される。また、サンプリング信号Ｓ１はローレベルに維持される。階調信号ｄは、各ブロックＢのデータ線１４[３]と、第ｉ行の走査線１２との交差に対応する画素回路１１の指定階調に応じたデータ電位ＶＢ[ｉ]に設定され、当該データ電位ＶＢ[ｉ]が各データ線１４[３]へ出力される。
【００４４】
サンプリング信号Ｓ３は、第３期間Ｔ３の経過後もハイレベルに維持される。より具体的には、図３に示すように、サンプリング信号Ｓ３は、走査期間Ｈ[ｉ]内の第３期間Ｔ３の始点から、次行の第ｉ＋１行目の走査線１２が選択される走査期間Ｈ[ｉ＋１]内の初期化期間ＰINが終了するまでの期間にわたってハイレベルに維持される。
【００４５】
（ｄ）発光期間ＰEL
図２に示すように、発光期間ＰELにおいては、走査信号ＧW[ｉ]がローレベルに設定される一方、発光制御信号ＧEL[ｉ]はハイレベルに設定される。従って、図４に示す選択トランジスタＴｓはオフ状態に遷移する一方、発光制御トランジスタＴｅはオン状態に遷移する。発光期間ＰELにおいては、選択トランジスタＴｓがオフ状態になるため、画素回路１１の容量素子Ｃ０とデータ線１４とは非導通状態になるが、容量素子Ｃ０には書込期間ＰWRTにて書き込まれたデータ電位が保持されており、駆動トランジスタＴｄのゲートの電位は、当該データ電位に応じた値に保持される。
【００４６】
発光期間ＰELにおいては、発光制御トランジスタＴｅがオン状態になるから、駆動電流Ｉｅｌの経路が形成される。したがって、駆動トランジスタＴｄのゲートの電位に応じた駆動電流Ｉelが給電線６０から駆動トランジスタＴｄおよび発光制御トランジスタＴｅを経由して電気光学素子Ｅに供給される。これにより、電気光学素子Ｅは駆動トランジスタＴｄのゲートの電位に応じた階調（データ電位に応じた階調）になる。
【００４７】
以上に説明したように、本実施形態においては、各ブロックＢに属する３本のデータ線１４[１]〜１４[３]のうちデータ電位が最初に供給されるデータ線１４[１]に対応するスイッチ５１（各導通部５０の第１段目のスイッチ５１）が、初期化期間ＰINの始点から、書込期間ＰWRTにおいて当該スイッチ５１がオフ状態に遷移する時点（第１期間Ｔ１の終点）までの期間にわたってオン状態に設定される。これにより、各導通部５０の第１段目のスイッチ５１の走査期間Ｈ内におけるオンオフの回数は２回だけで済む（図２参照）。したがって、第１段目のスイッチ５１のオンオフの回数は、図１２および図１３の構成に比べて低減される。すなわち、サンプリング信号Ｓ１のレベルの変化の回数が図１２および図１３の構成に比べて低減されるから、サンプリング信号線４１ａに付随する容量の充放電回数も低減され、結果として、電気光学装置の消費電力量が低減される。
【００４８】
また、本実施形態においては、図３に示すように、各ブロックＢに属する３本のデータ線１４[１]〜１４[３]のうちデータ電位が最後に供給されるデータ線１４[３]に対応するスイッチ５１（各導通部５０の第３段目のスイッチ５１）が、走査期間Ｈ[ｉ]内の書込期間ＰWRTにおいて当該スイッチ５１がオン状態に遷移した時点（第３期間Ｔ３の始点）から、次の走査期間Ｈ[ｉ＋１]内の初期化期間ＰINの終点までの期間にわたってオン状態に維持される。すなわち、各導通部５０の第３段目のスイッチ５１は、走査期間Ｈ[ｉ]内の第３期間Ｔ３の終点と、次の走査期間Ｈ[ｉ＋１]内の初期化期間ＰINとの間においてオンオフ動作を行わないから、当該第３段目のスイッチ５１のオンオフの回数（サンプリング信号Ｓ３のレベルが変化する回数）は、図１２および図１３の構成に比べて低減される。したがって、サンプリング信号線４１ｃに付随する容量の充放電回数も低減されて電気光学装置１０の消費電力量が低減される。
【００４９】
なお、本実施形態においては、各導通部５０の第１段目のスイッチ５１が、初期化期間ＰINの始点から第１期間Ｔ１の終点までの期間にわたってオン状態に設定される構成、および、各導通部５０の第３段目のスイッチ５１が、第３期間Ｔ３の始点から次の走査期間Ｈ内の初期化期間ＰINの終点までの期間にわたってオン状態に設定される構成の両方が採用されているが、何れか一方の構成のみが採用される態様であってもよい。ただし、本実施形態のように、両方の構成が採用される態様によれば、何れか一方の構成のみが採用される態様に比べて、各スイッチ５１のオンオフの回数が一層低減されるから、電気光学装置における消費電力量を低減するという観点からは特に有効である。
【００５０】
＜Ｂ：第２実施形態＞
図５は、本発明の第２実施形態に係る画素回路１１の回路図である。本実施形態では、各画素回路１１の電気光学素子Ｅは液晶素子で構成される点で上述の第１実施形態と異なる。図５においては、第ｉ行の走査線１２[ｉ]に対応する画素回路１１のうちブロックＢｋのデータ線１４[ｆ]に接続される画素回路１１を例にして説明するが、他の画素回路１１の構成も図５に示す構成と同じである。
【００５１】
図５に示すように、画素回路１１は、液晶素子４０１と選択トランジスタＴｓとを含む。液晶素子４０１は、間隔をあけて対向する画素電極４１０および対向電極４２０と両者間に挟持される液晶４３０とで構成される。選択トランジスタＴｓは、画素電極４１０とデータ線１４[ｆ]との間に介在して両者間の導通を制御する。従って第ｉ行目の走査線１２が選択されると、画素電極４１０は、選択トランジスタＴｓを介してデータ線１４[ｆ]と導通する。これによって、液晶素子４０１にデータ電位（階調信号ｄ）が印加され、当該データ電位に応じて液晶４３０の配向が制御される。
【００５２】
次に、図６を参照しながら、第ｉ行に属する画素回路１１の動作を簡単に説明する。図６に示すように、本実施形態では、走査期間Ｈ[ｉ]の前に初期化期間ＰINが設けられるとともに、補償期間ＰTHは設けられない点でも上述の第１実施形態と相違する。図６に示すように、初期化期間ＰINIにおいて、サンプリング信号Ｓ１ないしＳ３の全てがハイレベルに設定されるとともに、信号出力回路３２から各画像信号線１６へ出力される階調信号ｄは全て基準電位Ｖｐに設定される。従って、全てのデータ線１４に対して基準電位Ｖｐが一斉に供給され、全てのデータ線１４の電位が初期化される（プリチャージ）。走査期間Ｈ[ｉ]が開始すると、走査信号ＧW[ｉ]はハイレベルに遷移して選択トランジスタＴｓはオン状態に遷移する。走査期間Ｈ[ｉ]内の書込期間ＰWRTにおける動作は上述の第１実施形態と同じであるから、詳細な説明は省略する。
【００５３】
第２実施形態においても、各導通部５０の第１段目のスイッチ５１が、初期化期間ＰINの始点から第１期間Ｔ１の終点までの期間にわたってオン状態に設定されるとともに、各導通部５０の第３段目のスイッチ５１が、第３期間Ｔ３の始点から次の初期化期間ＰINの終点までの期間にわたってオン状態に設定される。したがって、第１実施形態と同様に、第１段目および第３段目のスイッチ５１のオンオフの回数を、図１２および図１３の構成に比べて減らすことができる。
【００５４】
＜Ｃ：変形例＞
本発明は上述した実施形態に限定されるものではなく、例えば、以下の変形が可能である。また、以下に示す変形例のうちの２以上の変形例を組み合わせることもできる。
【００５５】
（１）変形例１
上述の図４および図５の構成に限らず、画素回路１１の構成は任意である。例えば図７に示すように、各画素回路１１が、Ｎチャネル型の駆動トランジスタＴｄおよび選択トランジスタＴｓの２つのトランジスタから構成される態様であってもよい。駆動トランジスタＴｄのゲートとソースとの間には容量素子ＣＺが配置される。図７の態様では、各行の給電線６０に供給される電源電位ＶＥＬの値が、行ごとに個別に制御される点でも上述の第１実施形態と相違する。図８は、図７に示す画素回路１１の具体的な動作を示すタイミングチャートである。以下では、第ｉ行に属する各画素回路Ｕの動作について簡単に説明する。走査信号ＧW[ｉ]およびサンプリング信号Ｓｆの動作タイミングや階調信号ｄの出力タイミングは、第１実施形態と同じであるから、重複する部分については説明を省略する。
【００５６】
図８に示すように、初期化期間ＰINにおいて、第ｉ行目の給電線６０に供給される電源電位ＶＥＬ[ｉ]は、データ線１４[ｆ]に供給される基準電位Ｖｐよりも充分に低い第１電位VEL_Lに設定される。第１電位VEL_Lの値は、当該第１電位VEL_Lと基準電位Ｖｐとの差分が閾値電圧ＶTHを充分に上回るように設定される。これにより、図７に示す駆動トランジスタＴｄのソースの電位は第１電位VEL_Lに設定され、ゲートの電位は基準電位Ｖｐに設定される。補償期間ＰTHにおいて、電源電位ＶＥＬは、第１電位VEL_Lよりも充分に高い第２電位VEL_Hに設定される。これにより、給電線６０からの電流が駆動トランジスタＴｄを流れて駆動トランジスタＴｄのゲート・ソース間の電圧は閾値電圧ＶTHに漸近する。なお、電源電位ＶＥＬ[ｉ]の値は、次の垂直走査期間Ｖ内の第ｉ番目の走査期間Ｈ[ｉ]の初期化期間ＰINが開始するまでの間、第２電位VEL_Hに維持される。その他の動作は、前述の第１実施形態と同様である。図７および図８に示す態様でも、第１実施形態と同様の効果を得ることができる。
【００５７】
（２）変形例２
書込期間ＰWRTにおいて、ブロックＢ内の３本のデータ線１４[ｆ]の各々を画像信号線１６に導通させる順番は、任意である。例えば、データ線１４[２]に対するデータ電位ＶＧの供給とデータ線１４[３]に対するデータ電位ＶＢの供給とデータ線１４[１]に対するデータ電位ＶＲの供給とがこの順番で順次に実行されてもよい。この態様では、第２段目のスイッチ５１が、初期化期間ＰINの始点から書込期間ＰWRTにおいて当該スイッチ５１がオフ状態に遷移する時点までの期間にわたってオン状態に設定される。要するに、各ブロックＢに属する複数のデータ線のうちデータ電位が最初に供給されるデータ線に対応するスイッチ５１が、初期化期間ＰINの始点から書込期間ＰWRTにおいて当該スイッチ５１がオフ状態に遷移する時点までの期間にわたってオン状態に設定される態様であればよい。
【００５８】
また、第１段目のスイッチ５１が、走査期間Ｈ[ｉ]内の書込期間ＰWRTにおいて当該スイッチ５１がオン状態に遷移した時点から、次の初期化期間ＰINの終点までの期間にわたってオン状態に設定されてもよい。すなわち、各ブロックＢに属する複数のデータ線１４のうちデータ電位が最後に供給されるデータ線に対応するスイッチ５１が、走査期間Ｈ[ｉ]内の書込期間ＰWRTにおいて当該スイッチ５１がオン状態に遷移した時点から、次の初期化期間ＰINの終点までの期間にわたってオン状態に維持される態様を採用してもよい。
【００５９】
（３）変形例３
上述の各実施形態においては、３本のデータ線１４ごとにブロックＢに区分される態様が例示されているが、ブロックＢに属するデータ線１４の本数は任意である。また、ブロックＢ内の複数のデータ線１４の各々に対応する画素回路１１の表示色の種類や数も任意である。
【００６０】
また、上述の各実施形態とは異なり、複数のデータ線１４が、ブロックＢごとに区分されない態様とすることもできる。この態様においては、データ線１４の本数分のスイッチ５１が、１本の画像信号線１６と複数のデータ線１４の各々との間に配置され、各データ線１４が時分割に画像信号線１６と導通するとともに、当該画像信号線１６には、選択される走査線１２と各データ線との各交差に対応する画素回路１１の指定階調に応じたデータ電位が時分割に出力される。このような態様であっても、複数のデータ線のうちデータ電位が最初に供給されるデータ線に対応するスイッチ５１が、初期化期間ＰINの始点から書込期間ＰWRTにおいて当該スイッチ５１がオフ状態に遷移する時点までの期間にわたってオン状態に設定されることにより、当該スイッチ５１のオンオフの回数を減らすことができる。また、複数のデータ線１４のうちデータ電位が最後に供給されるデータ線に対応するスイッチ５１が、書込期間ＰWRTにおいて当該スイッチ５１がオン状態に遷移した時点から、次の初期化期間ＰINの終点までの期間にわたってオン状態に維持される態様を採用することもできる。
【００６１】
（４）変形例４
上述の各実施形態においては、電気光学素子Ｅの一例として、ＯＬＥＤ素子や液晶素子を取り上げたが、これに限らず、例えば無機発光ダイオードなどであってもよい。要は、印加される電気エネルギに応じた階調に設定されるのであれば、どのような素子であってもよい。ここで、「階調」は、素子の反射率、透過率および発光輝度などによって表現され得る。
【００６２】
＜Ｄ：電子機器＞
次に、本発明に係る電気光学装置１０を利用した電子機器について説明する。図９は、以上に説明した何れかの形態に係る電気光学装置１０を採用したモバイル型のパーソナルコンピュータの構成を示す斜視図である。パーソナルコンピュータ２０００は、電気光学装置１０と本体部２０１０とを備える。本体部２０１０には、電源スイッチ２００１およびキーボード２００２が設けられている。
【００６３】
図１０に、本発明に係る電気光学装置１０を適用した携帯電話機の構成を示す。携帯電話機３０００は、複数の操作ボタン３００１およびスクロールボタン３００２、ならびに表示装置を備える。スクロールボタン３００２を操作することによって、電気光学装置（表示装置）１０に表示される画面がスクロールされる。
【００６４】
図１１に、本発明に係る電気光学装置１０を適用した携帯情報端末（ＰＤＡ：Personal Digital Assistants）の構成を示す。情報携帯端末４０００は、複数の操作ボタン４００１および電源スイッチ４００２、ならびに表示装置１０を備える。電源スイッチ４００２を操作すると、住所録やスケジュール帳といった各種の情報が電気光学装置（表示装置）１０に表示される。
【００６５】
なお、本発明に係る電気光学装置が適用される電子機器としては、図９から図１１に示したもののほか、デジタルスチルカメラ、テレビ、ビデオカメラ、カーナビゲーション装置、ページャ、電子手帳、電子ペーパー、電卓、ワードプロセッサ、ワークステーション、テレビ電話、ＰＯＳ端末、プリンタ、スキャナ、複写機、ビデオプレーヤ、タッチパネルを備えた機器等などが挙げられる。また、本発明に係る電気光学装置の用途は画像の表示に限定されない。例えば、光書込み型のプリンタや電子複写機といった画像形成装置においては、用紙などの記録材に形成されるべき画像に応じて感光体を露光する書込みヘッドが使用されるが、この種の書込みヘッドとしても本発明の電気光学装置は利用される。
【符号の説明】
【００６６】
１０……電気光学装置、１１……画素回路、１２……走査線、１４……データ線、１６……画像信号線、２０……走査線駆動回路、３０……データ線駆動回路、４０……制御回路、４１……サンプリング信号線、５０……導通部、５１……スイッチ、６０，６２……給電線、１００……素子部、Ｂ……ブロック、Ｃ０……容量素子、ｄ……階調信号、Ｇｗ……走査信号、ＧIN……第１制御信号、ＧP……第２制御信号、ＧEL……発光制御信号、Ｈ……走査期間、ＰIN……初期化期間、ＰTH……補償期間、ＰWRT……書込期間、ＰEl……発光期間、Ｓ……サンプリング信号、Ｔ……期間、Ｔｄ……駆動トランジスタ、Ｔｓ……選択トランジスタ、Ｔｒ１，Ｔｒ２……トランジスタ、Ｔｅ……発光制御トランジスタ、Ｖ……垂直走査期間。
【図１】
2011022373.tif 000003
【図２】
2011022373.tif 000004
【図３】
2011022373.tif 000005
【図４】
2011022373.tif 000006
【図５】
2011022373.tif 000007
【図６】
2011022373.tif 000008
【図７】
2011022373.tif 000009
【図８】
2011022373.tif 000010
【図９】
2011022373.tif 000011
【図１０】
2011022373.tif 000012
【図１１】
2011022373.tif 000013
【図１２】
2011022373.tif 000014
【図１３】
2011022373.tif 000015